【事件の表示】
　特願２０００−１１９００４「電子部品実装用装置および電子部品実装用装置における品種切り替え方法」拒絶査定不服審判事件〔平成１３年１１月　２日出願公開、特開２００１−３０８５９６〕について、次のとおり審決する。
【結　論】
　本件審判の請求は、成り立たない。
【理　由】
１．手続の経緯
　本願は、平成１２年４月２０日にされた出願であって、平成１７年７月７日付で拒絶理由が通知され、同年９月８日付けで手続補正がなされたが、同年９月２９日付けで拒絶査定がなされ、これに対し、同年１１月４日付けで審判請求がなされたものである。
　
２．本願発明について 
　本願の請求項１〜４に係る発明は、平成１７年９月８日付けの手続補正で補正された明細書の特許請求の範囲の請求項１〜４に記載された事項により特定されるものであるところ、そのうちの請求項１に係る発明は、次のとおりのものである。 
　
「電子部品を基板に実装して実装基板を製作する電子部品実装工程において使用される電子部品実装用装置であって、生産対象基板の種類を変更する際の品種切り替え作業において必要とされるデータであって前記生産対象基板の種類に応じて設定される品種データおよび品種切り替え作業において当該電子部品実装用装置の動作機構部およびまたは装置操作者によって実行される切り替え動作の動作実行データの２種類のデータを含む品種切り替えデータを記憶する品種切り替えデータ記憶手段と、品種切り替え作業において前記品種データを読み出して前記電子部品実装用装置の動作制御プログラム上の品種パラメータを切り替え品種に対応した品種パラメータに更新する品種パラメータ更新手段と、品種切り替え作業において前記動作実行データを読み出して画面表示する表示手段とを備え、前記動作実行データに、品種切り替え作業における個別要素作業の実行順序を指示する手順データを含むことを特徴とする電子部品実装用装置。」（以下、「本願発明１」という。） 
　
３．原査定の理由の概要
　原審の拒絶査定の理由の概要は、次のとおりのものである。
　本願の請求項１〜４に係る発明は、その出願前頒布された下記刊行物１〜７に記載された発明に基づいて当業者が容易に発明をすることができたものであるから、特許法第２９条第２項の規定により特許を受けることができない。
　　　　　　　　　　　　　　　記
１.特開平７−６８４２３号公報
２.特開平１１−２９８１８９号公報（以下、「刊行物２」という。）
３.特開平１１−２５１７９６号公報
４.特開平５−１４５２９６号公報
５.特開平７−２０２４８６号公報
６.特開平９−６４５９９号公報
７.特開平１０−２２４０８１号公報（以下、「刊行物７」という。）
　
４．引用刊行物とその記載事項
　原査定の拒絶の理由に引用された刊行物７及び刊行物２には、次の事項が記載されている。
　
刊行物７：特開平１０−２２４０８１号公報
（ａ１）「本発明は、部品実装装置における部品供給部の段取り替えを支援する機種切替支援装置及び機種切替支援方法に関するものである。」（段落【０００１】）
（ａ２）「部品実装装置２は、部品供給部を含む機構部４と、動作状況等を表示する表示部５と、実装中に必要なデータや実装プログラム等を一時記憶する記憶部６と、配膳データを記憶する配膳データ記憶部７とを有する。
　この電子部品実装装置２は配膳データによってどの品種の部品を収納した部品供給ユニットが部品供給部のどの位置（どのスロットもしくはどのラック）にあるかを認識し、記憶部６に格納された実装プログラムに従って所望の部品を移載ヘッドでピックアップし、基板に実装するものである。
　一方、機種切替支援装置１は、現基板用の配膳データを記憶する現基板用配膳データ記憶部８と、段取り替え後の次基板用配膳データを記憶する次基板用配膳データ記憶部９と、後述する処理を行い、ＲＡＭ１１中に取外し部品情報１２、移設部品情報１３及び新設部品情報１４を作成して格納する比較手段１０を有する。
　さらに機種切替支援装置１は、上記各情報１２，１３，１４から段取り替えのガイダンス（図５に示すようにグラフィックユーザーインターフェイスを用い、段取り替えの手順を示す）を作成する段取り替えガイダンス作成手段１５と、部品のセット方向を示す部品供給方向情報１６と、上述のガイダンスを作業者に示すディスプレイ又はスピーカーなどの出力手段１７とガイダンスに必要な音声データを格納した音声ライブラリ１８と、グラフィックデータを格納するグラフィックライブラリ１９を有している。」（段落【００１９】〜【００２２】）
（ａ３）「基板の品種によって、実装すべき部品の品種等が異なるため、配膳データも異なる。このため、ある基板（現基板）から別の基板（次基板）へ、実装対象である基板を変更する際には、配膳データを次基板用のものと入れ換えるとともに次基板用の配膳データに従って部品供給部における部品供給ユニットの配列を変更（段取り替え）を行う必要がある。」（段落【０００４】）
（ａ４）「通常、トレイに収納される部品の品種はトレイ毎に異なる。この種部品実装装置は、どの品種の部品を収納したテープフィーダもしくはトレイがどの位置にあるのかを示す配膳データに基づいて部品を移載ヘッドに供給するようになっている。」（段落【０００３】）
（ａ５）「比較手段１０は、上述の取外し部品情報１２、移設部品情報１３、新設部品情報１４に段取り替えの作業手順情報（手順番号）を付加した段取り替え情報を作成して段取り替えガイダンス作成手段１５や出力手段へ出力する。図２は段取り替え情報をリスト形式で表示した作業手順リストである。
　ガイダンス作成手段１５は、比較手段１０からの段取り替え情報に基づいて作業内容を指示するための音声データやグラフィックデータを音声ライブラリ１８及びグラフィックライブラリ１９より抽出してこれらを組み合わせたガイダンスを作成する。このガイダンスは、ガイダンス作成手段１５から出力手段１７もしくは伝送手段３を介して部品実装装置２へ送られ、表示部５や内蔵されたスピーカーより出力される。」（段落【００２５】【００２６】）
（ａ６）「次に、図３に沿って比較手段１０の処理を説明する。ここで本例では、比較手段１０は、図２に示すような作業手順リストを作成する。
このリストのうち、処置の欄は、取外し、移動、入れ換え又は新設のいずれかが、「１」となり、その他は「０」となる。そして、「１」となった項目の処置を行うことを意味する。因みに、取外しが「１」ならそれは取外し部品情報であり、移動又は入れ換えが「１」なら移設部品情報、新設が「１」なら新設部品情報である。
　また、対象（何を）の欄は、どのスロットの何という品種の部品を収納した部品供給ユニットを処置するかという情報であり、行先（どこへ）の欄は、移動、入れ換え又は新設先のスロット番号を示し、部品供給方向の欄は、部品供給情報１６から転記される角度を示す。
　さて上述したように、本例では、ａ，ｂ，ｃ，ｄ，ｅ，ｆ，ｇ，ｈ，ｉ，ｊとあるのをｂ，ａ，ｋ，ｌ，ｃ，ｍ，ｄ，ｎ，ｏ，ｅ（スロット順）に段取り替えするものである。
　そこで、比較手段１０は、図３のステップ１にて、現基板にあり次基板にない品種があるかどうか検討する。この品種の部品を収納した部品供給ユニットは単に取外しさえすればよいものである。本例では、ｆ，ｇ，ｈ，ｉ，ｊがこれに該当する。
　そこで、図２に示すように、手順番号１の欄の取外しを「１」とし、スロット番号６の品種ｆを対象とする旨登録する（ステップ２）。なお、取外した部品供給ユニットは、部品供給部に取付けるわけではないので、行先（どこへ）の欄の値は省略される。
（中略）
　そして、取外しの対象がなくなったら、ステップ３へ進む。ステップ３では、まず空スロットに移動できる品種があるかどうか検討する。ここでは、手順１〜５の結果、スロット番号６〜１０が空スロットとなっている（図４）。
　これと次基板の配列ｂ，ａ，ｋ，ｌ，ｃ，ｍ，ｄ，ｎ，ｏ，ｅを比較すれば、スロット番号７の品種ｄと、スロット番号１０の品種ｅが空スロットへ移動できることがわかる。また、スロット番号３の品種ｃも移動の対象となるのであるが、手順番号６の段階では、行先であるスロット番号５はふさがっており、直ちに移動することはできない。
　そこで、手順番号６にて、移動を「１」とし、スロット番号４の品種ｄをスロット番号７へ移動する旨登録する（ステップ４）。同様に、手順番号７にて、移動を「１」とし、スロット番号５の品種ｅをスロット番号１０へ移動する旨登録する。
（中略）
　以上のステップ１，３，５を経由したら、空スロットは他品種を新規に取付けるべきもののみが残る（図４）。
したがって、手順番号１１〜１４において、新設を「１」として、ｋ，ｌ，ｍ，ｎ，ｏの品種を３，４，６，８，９のスロット番号へ順に取付ける旨登録する（ステップ７）。
　ここで、図３の流れによれば、全ての段取り替えのパターンに対応でき、自動処理で段取り替え情報に基づく作業手順リスト（図２）を作成できる。
　ガイダンス作成手段１５は比較手段１０から出力される段取り替え情報に基づいて作業内容をその手順に従って指示するガイダンスを作成する。
　作成されたガイダンスは、部品実装装置の段取り替えが始まると、部品実装装置２の表示部５や内蔵のスピーカー（もしくは出力手段１７）より出力され、このガイダンスによる指示に従って作業者による段取り替えが行われる。」（段落【００３２】〜【００５０】）
　
刊行物２：特開平１１−２９８１８９号公報
（ｂ１）「処理位置に順次搬入される処理対象物の処理を順次行い，対象物の種別が変わったときに新たな種別の対象物についての処理のために段取り替えを行う装置であり，対象物の種別に対応して段取りに関する情報を記憶する記憶手段，上記処理位置に搬入された対象物に設けられた種別情報を読み取る手段，および読み取った種別情報に基づいて，上記種別情報が設けられた対象物についての処理の後に，上記記憶手段に記憶された段取りに関する情報に基づいて次に処理すべき対象物についての処理のための段取り替えを行う手段，を備えた段取り替え装置。」（特許請求の範囲の請求項３）
（ｂ２）「コンベア55の搬送路の途中には基板種判別読取装置71と，実装部品検査装置72とが配置されている。被検査基板73，74は基板種判別読取装置71と実装部品検査装置72内をこの順番に通過する。同種の複数の部品実装基板のうち，先頭で搬送される（最初に検査される）部品実装基板には，基板の種別を特定するための情報（たとえば，バーコード情報など）73ａ，74ａがあらかじめ設けられており，実装部品検査装置72による検査に先だって，基板種判別読取装置71によってこの基板種判別情報が読み取られる。読み取った基板種判別情報が基板種判別読取装置71から実装部品検査装置72に送られる。実装部品検査装置72はこの基板種判別情報に基づいて次に検査対象になる部品実装基板の検査のための準備（たとえば，基板種別に応じたガイド幅の調整，判定基準の特定）が行われる。これを段取り替えという。」（段落【０００８】）
（ｂ３）「この発明による段取り替え方法および装置は，基板上の部品の実装状態を検査する検査装置，基板上に部品を実装する実装装置，対象物に印刷する印刷装置，工業製品等の製造装置等に適用することができる。」（段落【００１３】）
（ｂ４）「複数の種類の対象物を順次処理する場合に，段取り替えを無人でかつスムーズに行うことができる」（段落【００１４】）
（ｂ５）「この後，先に記憶した次の基板の種類を示すデータに基づいて，次に搬入されるであろう新しい種類の被検査基板についての検査装置における段取り替えが行われる。この段取り替えは，あらかじめ基板種ごとに用意されたデータに基づいて行われる（ステップ61）。たとえば，ティーチング・テーブル34に記憶された基板サイズに基づいて，次に検査すべき被検査基板20Ｔの基板サイズに適合するようにＸＹテーブル23上のガイド幅が調整される。また，新たな種類の基板についての検査用データがポイントされる。ポイントされた検査用データが次に搬入される基板の検査のために用いられることになる。この後，新たな種類の基板がＸＹテーブルに搬入されれば（ステップ53，54），その基板についての検査が同様に行われていく。」（段落【００５２】）
　
５．当審の判断
（１）引用発明
　刊行物７には、（ａ１）の「部品実装装置における部品供給部の段取り替えを支援する機種切替支援装置」に関し、（ａ２）には「この電子部品実装装置２は、・・・実装プログラムに従って所望の部品を移載ヘッドでピックアップし、基板に実装するものである。一方、機種切替支援装置１は、現基板用の配膳データを記憶する現基板用配膳データ記憶部８と、段取り替え後の次基板用配膳データを記憶する次基板用配膳データ記憶部９と、・・・ＲＡＭ１１中に取外し部品情報１２、移設部品情報１３及び新設部品情報１４を作成して格納する比較手段１０を有する。さらに機種切替支援装置１は、上記各情報１２，１３，１４から段取り替えのガイダンス（・・・）を作成する段取り替えガイダンス作成手段１５と、・・・上述のガイダンスを作業者に示すディスプレイ又はスピーカーなどの出力手段１７・・・を有している。」と記載されているから、刊行物７には、『実装プログラムに従って所望の部品を基板に実装する部品実装装置』における部品供給部の段取り替えを支援する機種切替支援装置であって、『現基板用配膳データを記憶する現基板用配膳データの記憶部と、段取り替え後の次基板用配膳データを記憶する次基板用配膳データの記憶部と、比較手段によって作成された、取外し部品情報、移設部品情報及び新設部品情報を格納するＲＡＭと、該ＲＡＭに格納される情報から段取り替えのガイダンスを作成する段取り替えガイダンス作成手段と、上述のガイダンスを作業者に示すディスプレイを有する部品供給部の段取り替えを支援する機種切替支援装置』が記載されているといえる。
　また、（ａ３）には「ある基板（現基板）から別の基板（次基板）へ、実装対象である基板を変更する際には、・・・部品供給部における部品供給ユニットの配列を変更（段取り替え）を行う必要がある。」と記載されているから、上記の「段取り替え」とは『基板の種類を変更する際の部品供給ユニットの配列を変更する』ことであるといえるし、（ａ５）の「比較手段１０は、上述の取外し部品情報１２、移設部品情報１３、新設部品情報１４に段取り替えの作業手順情報（手順番号）を付加した段取り替え情報を作成して段取り替えガイダンス作成手段１５・・・へ出力する。・・・ガイダンス作成手段１５は、比較手段１０からの段取り替え情報に基づいて・・・ガイダンスを作成する。」、及び（ａ６）の「このガイダンスによる指示に従って作業者による段取り替えが行われる」の記載によると、上記ガイダンスは、『ＲＡＭに格納される取外し部品情報、移設部品情報、新設部品情報に段取り替えの作業手順情報を付加した段取り替え情報に基づいて作成された、作業者によって実行される段取り替えの作業内容を示すもの』といえる。
　そして、上記の「現基板用配膳データ」、「次基板用配膳データ」が、段取り替えの際に必要な段取り替え前後のそれぞれの生産対象基板の種類に応じて設定されるデータであることが明らかであり、また、上記の「ガイダンス」作成の基となる「取外し部品情報、移設部品情報及び新設部品情報」、及び「作業手順情報」が、『段取り替え作業において作業者によって実行される段取り替え動作を実行するためのデータ』であり、上記「作業手順情報」が、段取り替え作業における取外し、移設、新設という個別要素作業の実行順序を指示する手順データを含むことも明らかである。
　
　上記記載及び認定事項を本願発明の記載ぶりに則って整理すると、刊行物７には、次のとおりの発明が記載されているといえる。
　
「実装プログラムに従って所望の電子部品を基板に実装する電子部品実装装置であって、基板の種類を変更する際の部品供給ユニットの配列を変更する段取り替え作業において必要とされる情報であり、段取り替え前後のそれぞれの生産対象基板の種類に応じて設定される、現基板用配膳データの記憶部と、次基板用配膳データの記憶部と、段取り替え作業において作業者によって実行される段取り替え動作を実行するためのデータであって、取外し部品情報、移設部品情報及び新設部品情報のデータを格納するＲＡＭとよりなる記憶手段と、段取り替え作業において、前記ＲＡＭに格納されるデータを読み出し、手順データを付加して作成された段取り替えの作業内容の指示を表示するディスプレイとを備え、前記段取り替えの作業内容の指示の基となるデータに、段取り替え作業における取外し、移設、新設の個別要素の作業の実行順序を指示する手順データを含む電子部品実装装置」（以下、この発明を「引用発明」という。）
　
（２）本願発明と引用発明の対比
　本願発明１と引用発明とを対比する。
　まず、引用発明の「電子部品を基板に実装する電子部品実装装置」、「基板の種類を変更する際の部品供給ユニットの配列を変更する段取り替え作業」及び「作業者」は、それぞれ、本願発明１の「電子部品を基板に実装して実装基板を製作する・・・電子部品実装用装置」、「生産対象基板の種類を変更する際の品種切り替え作業」及び「装置操作者」に相当する。
　次に、引用発明の「現基板用配膳データ」及び「次基板用配膳データ」は、基板の種類を変更する前後のそれぞれの生産対象基板の種類に応じて設定されるデータであるから、本願発明１の「品種データ」に相当し、引用発明の「取外し部品情報、移設部品情報及び新設部品情報のデータ」及び「手順データ」は、作業者によって実行される切り替え動作を実行するためのデータであるから、「動作実行データ」であるといえ、引用発明の上記の「現基板用配膳データ記憶部」、「次基板用配膳データ記憶部」及び「取外し部品情報、移設部品情報及び新設部品情報のデータを格納するＲＡＭ」が、本願発明１の「品種切り替えデータ記憶手段」に相当する。
　そうすると、本願発明１と引用発明は、「電子部品を基板に実装して実装基板を製作する電子部品実装工程において使用される電子部品実装用装置であって、生産対象基板の種類を変更する際の品種切り替え作業において必要とされるデータであって前記生産対象基板の種類に応じて設定される品種データおよび品種切り替え作業において装置操作者によって実行される切り替え動作の動作実行データの２種類のデータを含む品種切り替えデータを記憶する品種切り替えデータ記憶手段と、品種切り替え作業において動作実行データを読み出して画面表示する表示手段とを備えた電子部品実装用装置。」である点で一致し、次の点で相違する。
　
相違点イ：本願発明１では、「手順データ」を含む「動作実行データ」が品種切り替えデータ記憶手段に記憶されるのに対して、引用発明では、、手順データが品種切り替えデータ記憶手段に記憶されているか否かが不明である点。
相違点ロ：本願発明１では、「品種切り替え作業において品種データを読み出して電子部品実装用装置の動作制御プログラム上の品種パラメータを切り替え品種に対応した品種パラメータに更新する品種パラメータ更新手段」を有するのに対して、引用発明では、このような品種パラメータ更新手段を備えるか否かが不明である点。
　
（３）相違点についての判断
　そこで、上記相違点イ及びロについて検討する。
　
（３−１）相違点イについて
　引用発明の「手順データ」に関して、（ａ６）の「比較手段１０の処理を説明する。ここで本例では、比較手段１０は・・・作業手順リストを作成する。・・・比較手段１０は、図３のステップ１にて、現基板にあり次基板にない品種があるかどうか検討する。・・・そこで・・・手順番号１の欄の取外しを「１」とし、スロット番号６の品種ｆを対象とする旨登録する・・・そして、取外しの対象がなくなったら、・・・まず空スロットに移動できる品種があるかどうか検討する。・・・そこで、手順番号６にて、移動を「１」とし、スロット番号４の品種ｄをスロット番号７へ移動する旨登録する・・・以上のステップ１，３，５を経由したら、空スロットは他品種を新規に取付けるべきもののみが残る・・・手順番号１１〜１４において、新設を「１」として、ｋ，ｌ，ｍ，ｎ，ｏの品種を３，４，６，８，９のスロット番号へ順に取付ける旨登録する・・・ここで、図３の流れによれば、全ての段取り替えのパターンに対応でき、自動処理で段取り替え情報に基づく作業手順リスト（図２）を作成できる。」という記載によると、手順データである手順番号は、比較手段により、取外し、移設、新設の別に、部品の品種及びスロット番号と合わせて「登録」されるものである。そして、（ａ２）の「後述する処理を行い、ＲＡＭ１１中に取外し部品情報１２、移設部品情報１３及び新設部品情報１４を作成して格納する比較手段１０」という記載における「後述する処理」とは、上述の（ａ６）に記載の「比較手段１０の処理」であることは明らかであるから、上記の「登録」とは、取外し、移設、新設の別に、部品の品種、スロット番号及び手順番号を組み合わせてＲＡＭに格納する処理のことであると解される。すると、引用発明における手順データも、品種切り替えデータ記憶手段の一部であるＲＡＭに格納されている、すなわち、手順データが品種切り替えデータ記憶手段に記憶されているといえる。
　また、仮に、引用発明において、手順データがＲＡＭに格納されていないとしても、上述のように、比較手段により、取外し、移設、新設の別に、部品の品種、スロット番号及び手順番号を組み合わせたデータが登録されるのであるから、このデータを登録して記憶しておくための記憶手段を設けることは当業者が容易に想到し得たことであり、その場合は、その記憶手段も併せて、本願発明１の「品種切り替えデータ記憶手段」であるといえる。
　そうすると、相違点イは、実質的な差異でないか、引用発明から当業者が容易に想到し得たことであるといえる。
　
（３−２）相違点ロについて
　引用発明の「配膳データ記憶手段」における「配膳データ」とは、（ａ４）の「どの品種の部品を収納したテープフィーダもしくはトレイがどの位置にあるのかを示す配膳データ」という記載によると、電子部品のテープフィーダやトレイの位置を示すものであるから、配膳データを配膳データ記憶部から読み出すときに、同時に、電子部品の種類によって異なる形状・寸法や、テープフィーダ等の位置の変更に対応して、次基板の実装が可能となるように、実装プログラムのパラメータを変更する必要があることは、当業者にとって明らかである。
　そして、品種切り替え作業の際に、実装プログラム上のパラメータを基板の切り替え品種に対応するように、基板の品種に応じて設定されるデータを読み出して更新することは、例えば刊行物２の（ｂ１）〜（ｂ５）に記載されているように、通常行われることである。
　すると、引用発明において、品種データを読み出してプログラム上の品種パラメータを更新することは当業者が容易に想到し得たことであるといえる。
　そうすると、上記相違点ロは、当業者が容易に想到し得たことである。
　
（４）小括
　したがって、上記相違点イは実質的な差異でないか、又は、当業者が容易に想到し得たことであり、上記相違点ロは、当業者が容易に想到し得たことであるから、本願発明１は、引用発明、及び、刊行物２に記載された発明に基づいて、当業者が容易に発明をすることができたものであるといえる。
　
６．むすび
　以上のとおり、本願発明１は、特許法第２９条第２項の規定により特許を受けることができないから、その余の発明について検討するまでもなく、本願は拒絶すべきものである。
　よって、結論のとおり審決する。